(57)【要約】【課題】読取ジョブをやり直すことなく、ユーザーの希望に沿った画像データを得ることが可能な画像読取装置を提供すること。【解決手段】ユーザーから音声入力で読取ジョブの実行指示を受け付けると（Ｓ１）、ジョブの実行に必要な各設定項目のうち、ユーザーの指示がなかった設定項目Ｂが、デフォルト値に設定して実行した読取動作で得られるべき画像データからデフォルト値以外の選択値を設定して実行した読取動作で得られるべき画像データに復元できない設定項目であれば（Ｓ６：Ｎｏ）、復元可能な選択値に設定し直して（Ｓ７）、読取動作を実行する（Ｓ８）。その後、確認要求画面を表示させて（Ｓ１０）、ユーザーからデフォルト値の設定で行った場合に得られるべき画像データに変換する指示を受け付けると（Ｓ１１：Ｙｅｓ）、読取動作で得られた画像データをユーザーが指示した画像データに変換し（Ｓ１２）、出力先に出力する（Ｓ１３）。【選択図】図９
2020092378.tif 000002
【特許請求の範囲】
【請求項１】
読取ジョブを実行して原稿画像を読み取る画像読取装置であって、
読取ジョブの実行指示を音声入力で受け付ける第１受付手段と、
読取ジョブの実行に必要な設定項目のうち、音声入力による指示がなかった設定項目を補足する補足手段であり、指示がなかった設定項目に複数の選択可能な値が存在する場合、第１選択値を設定して実行した読取ジョブで得られるべき第１画像データと、第２選択値を設定して実行した読取ジョブで得られるべき第２画像データとについて、第１画像データから第２画像データが復元可であるがその逆が不可になる関係があるとき、指示がなかった設定項目に前記第１選択値を設定する補足手段と、
前記補足後、読取ジョブを実行するジョブ実行手段と、
読取ジョブで読み取られた画像データを、前記第２選択値の設定で読取ジョブを行った場合に得られるべき画像データに変換するか否かの指示を受け付ける第２受付手段と、
前記変換の指示が受け付けられると、前記変換を行う変換手段と、
を備えることを特徴とする画像読取装置。
【請求項２】
前記第２受付手段は、
読取ジョブが前記第１選択値を設定して実行された旨を表示または音声でユーザーに通知する通知部を有し、前記通知後に前記指示を受け付けることを特徴とする請求項１に記載の画像読取装置。
【請求項３】
前記変換手段は、
前記変換の指示が受け付けられると、変換後の画像データを出力先に出力し、前記変換を行わない指示が受け付けられると、読取ジョブで得られた画像データをそのまま出力先に出力する出力部を有することを特徴とする請求項１または２に記載の画像読取装置。
【請求項４】
さらに、前記出力部から出力される画像データの画像を出力前にプレビュー表示する表示部を有することを特徴とする請求項３に記載の画像読取装置。
【請求項５】
前記補足手段は、
音声入力による指示がなかった設定項目がデフォルト値からの変更が禁止されている設定項目である場合には、デフォルト値から前記第１選択値への設定を行わないことを特徴とする請求項１〜４のいずれか１項に記載の画像読取装置。
【請求項６】
前記設定項目には、原稿を読み取る際の異なる大きさ解像度のうちの一つを選択値として設定するための解像度の設定項目が含まれ、
前記解像度の設定項目における前記第１選択値は、第１の大きさの第１解像度であり、前記第２選択値は、前記第１解像度よりも小さい第２解像度であることを特徴とする請求項１〜５のいずれか１項に記載の画像読取装置。
【請求項７】
前記設定項目には、原稿の第１面と第２面の一方のみを読み取って片面データを生成する片面読取と、両方を読み取って第１面と第２面の画像データの両方を生成する両面読取とのうちの一つを選択値として設定するための読取方法の設定項目が含まれ、
前記読取方法の設定項目における前記第１選択値は、両面読取であり、前記第２選択値は、片面読取であることを特徴とする請求項１〜５のいずれか１項に記載の画像読取装置。
【請求項８】
前記設定項目には、原稿を読み取って、異なる色のそれぞれの画像データを生成するカラー読取と、前記異なる色に含まれる１色のみの画像データを生成するモノクロ読取とのうちの一つを選択値として設定するための出力色の設定項目が含まれ、
前記出力色の設定項目における前記第１選択値は、カラー読取であり、前記第２選択値は、モノクロ読取であることを特徴とする請求項１〜５のいずれか１項に記載の画像読取装置。
【請求項９】
前記設定項目には、原稿を読み取る際のデータサイズを異なる大きさのいずれかから選択可能な場合に、異なるデータサイズのうちの一つの選択値として設定するためのデータサイズの設定項目が含まれ、
前記データサイズの設定項目における前記第１選択値は、第１の大きさのデータサイズであり、前記第２選択値は、前記第１の大きさも小さい第２の大きさのデータサイズであることを特徴とする請求項１〜５のいずれか１項に記載の画像読取装置。
【請求項１０】
前記設定項目には、
画像データの階調値を補正するためのゲイン調整を行うか否かを選択値として設定するためのゲイン調整の設定項目が含まれ、
前記ゲイン調整の設定項目における前記第１選択値は、前記ゲイン調整を行わないことであり、前記第２選択値は、前記ゲイン調整を行うことであることを特徴とする請求項１〜５のいずれか１項に記載の画像読取装置。
【発明の詳細な説明】
【技術分野】
【０００１】
本発明は、原稿画像を読み取るスキャナーなどの画像読取装置に関する。
【背景技術】
【０００２】
画像読取装置では、ユーザーが原稿画像の読取ジョブを実行するのに際し、例えばカラーとモノクロのいずれの画像データを生成するか、読取解像度を高、中、小のいずれにするかなど各種の設定項目を設定入力できるようになっている。
【０００３】
各設定項目には、通常、デフォルト値、例えばモノクロ、中解像度などが装置の製造工場出荷時に設定され、ユーザーのオフィス等に設置された後、管理者等により別の選択値への変更が可能になっている。例えば、利用頻度が高い値を事前にデフォルト値に設定することで、ユーザーは、ジョブ毎にデフォルト値とは別の値に変更したい設定項目を再設定すれば良くなる。
【先行技術文献】
【特許文献】
【０００４】
【特許文献１】特開２００６−３３３３６５号公報
【発明の概要】
【発明が解決しようとする課題】
【０００５】
ところで、近年、ユーザーの音声で入力を受け付ける方法が用いられるようになってきている。例えば、原稿をセットした後、スキャンなどというように音声でジョブの指示を行えば、操作パネル上の表示画面を見ながら入力ボタンを押下する操作よりも、ユーザーにとって簡易になる。
【０００６】
一方で、音声入力方法は、ユーザーが思いついた設定項目や知っている設定項目のみ音声で指示することが多くなる。上記のスキャンという指示の例では、ジョブ名がスキャンという情報しかないので、音声で指示されていないカラーとモノクロ、解像度などの設定項目については、デフォルト値が適用されて読取ジョブが実行されることになる。
【０００７】
例えば、解像度のデフォルト値が中解像度であれば、スキャナーの移動速度を高解像度のときよりも速くしたり、高解像度で読み取った画像データから画素を間引きしたりして、中解像度の画像データを生成することが行われる。
【０００８】
ところが、もし、ユーザーが高解像度を希望していたのにも関わらず、うっかり解像度の指示を忘れると、中解像度の画像データが生成されることになり、読み取り後にユーザーの希望する画像データを得られないことになる。
【０００９】
ユーザーは、別途、「スキャン、高解像度」という音声指示を行うこともできるが、これではジョブのやり直しになってしまう。一方で、中解像度の画像データを高解像度に復元できれば、スキャナーによる原稿画像の読取ジョブをやり直す必要はなくなるが、復元できないものであれば、再度の読取ジョブが必要になる。
【００１０】
本発明は、上記の問題点に鑑みてなされたものであって、読取ジョブをやり直すことなく、ユーザーの希望に沿った画像データを得ることが可能な画像読取装置を提供することを目的としている。
【課題を解決するための手段】
【００１１】
上記目的を達成するために、本発明に係る画像読取装置は、読取ジョブを実行して原稿画像を読み取る画像読取装置であって、読取ジョブの実行指示を音声入力で受け付ける第１受付手段と、読取ジョブの実行に必要な設定項目のうち、音声入力による指示がなかった設定項目を補足する補足手段であり、指示がなかった設定項目に複数の選択可能な値が存在する場合、第１選択値を設定して実行した読取ジョブで得られるべき第１画像データと、第２選択値を設定して実行した読取ジョブで得られるべき第２画像データとについて、第１画像データから第２画像データが復元可であるがその逆が不可になる関係があるとき、指示がなかった設定項目に前記第１選択値を設定する補足手段と、前記補足後、読取ジョブを実行するジョブ実行手段と、読取ジョブで読み取られた画像データを、前記第２選択値の設定で読取ジョブを行った場合に得られるべき画像データに変換するか否かの指示を受け付ける第２受付手段と、前記変換の指示が受け付けられると、前記変換を行う変換手段と、を備えることを特徴とする。
【００１２】
また、前記第２受付手段は、読取ジョブが前記第１選択値を設定して実行された旨を表示または音声でユーザーに通知する通知部を有し、前記通知後に前記指示を受け付けるとしても良い。
【００１３】
さらに、前記変換手段は、前記変換の指示が受け付けられると、変換後の画像データを出力先に出力し、前記変換を行わない指示が受け付けられると、読取ジョブで得られた画像データをそのまま出力先に出力する出力部を有するとしても良い。
【００１４】
さらに、前記出力部から出力される画像データの画像を出力前にプレビュー表示する表示部を有するとしても良い。
【００１５】
また、前記補足手段は、音声入力による指示がなかった設定項目がデフォルト値からの変更が禁止されている設定項目である場合には、デフォルト値から前記第１選択値への設定を行わないとしても良い。
【００１６】
さらに、前記設定項目には、原稿を読み取る際の異なる大きさ解像度のうちの一つを選択値として設定するための解像度の設定項目が含まれ、前記解像度の設定項目における前記第１選択値は、第１の大きさの第１解像度であり、前記第２選択値は、前記第１解像度よりも小さい第２解像度であるとしても良い。
【００１７】
また、前記設定項目には、原稿の第１面と第２面の一方のみを読み取って片面データを生成する片面読取と、両方を読み取って第１面と第２面の画像データの両方を生成する両面読取とのうちの一つを選択値として設定するための読取方法の設定項目が含まれ、前記読取方法の設定項目における前記第１選択値は、両面読取であり、前記第２選択値は、片面読取であるとしても良い。
【００１８】
さらに、前記設定項目には、原稿を読み取って、異なる色のそれぞれの画像データを生成するカラー読取と、前記異なる色に含まれる１色のみの画像データを生成するモノクロ読取とのうちの一つを選択値として設定するための出力色の設定項目が含まれ、前記出力色の設定項目における前記第１選択値は、カラー読取であり、前記第２選択値は、モノクロ読取であるとしても良い。
【００１９】
また、前記設定項目には、原稿を読み取る際のデータサイズを異なる大きさのいずれかから選択可能な場合に、異なるデータサイズのうちの一つの選択値として設定するためのデータサイズの設定項目が含まれ、前記データサイズの設定項目における前記第１選択値は、第１の大きさのデータサイズであり、前記第２選択値は、前記第１の大きさも小さい第２の大きさのデータサイズであるとしても良い。
【００２０】
さらに、前記設定項目には、画像データの階調値を補正するためのゲイン調整を行うか否かを選択値として設定するためのゲイン調整の設定項目が含まれ、前記ゲイン調整の設定項目における前記第１選択値は、前記ゲイン調整を行わないことであり、前記第２選択値は、前記ゲイン調整を行うことであるとしても良い。
【発明の効果】
【００２１】
上記の構成により、読取ジョブをやり直すことなく、ユーザーの希望に沿った画像データを得ることができる。
【図面の簡単な説明】
【００２２】
【図１】実施の形態に係るＭＦＰの全体の構成を示す斜視図である。
【図２】画像読取部のスキャナー本体とＡＤＦの概略構成を示す図である。
【図３】画像読取部に設けられている全体制御部の構成を示すブロック図である。
【図４】第２制御部の構成を示すブロック図である。
【図５】判断テーブルの内容例を示す図である。
【図６】（ａ）と（ｂ）は、ジョブ管理テーブルの構成例を示す図である。
【図７】（ａ）と（ｂ）は、確認要求画面の表示例を示す図である。
【図８】画像データ変換部の構成を示すブロック図である。
【図９】音声入力によるジョブ実行動作の制御内容を示すフローチャートである。
【図１０】原稿読取動作のサブルーチンの内容を示すフローチャートである。
【図１１】変形例に係るジョブ実行動作の制御内容の一部を示すフローチャートである。
【発明を実施するための形態】
【００２３】
以下、本発明に係る画像読取装置の実施の形態をカラー複合機（ＭＦＰ：Multiple Function Peripheral）を例にして説明する。
【００２４】
図１は、ＭＦＰ１の全体の構成を示す斜視図である。
【００２５】
同図に示すようにＭＦＰ１は、画像読取部２と、画像読取部２よりも下であり空間９を隔てて配されたプリント部３を備え、スキャナー、コピーおよびプリンターの機能を併せ持つ多機能複合機である。
【００２６】
画像読取部２は、スキャナー本体２１と、自動原稿搬送装置（auto document feeder：ＡＤＦ）２２と、操作パネル２３と、全体制御部２４（図２）を備え、ＡＤＦ２２により搬送される原稿の第１面（表面）と第２面（裏面）の画像を固定光学系の一つである公知のシートスルー方式と、原稿の第１面の画像を移動光学系の一つであるスキャナー移動方式により読み取りが可能なように構成されている。
【００２７】
図２は、画像読取部２のスキャナー本体２１とＡＤＦ２２の概略構成を示す図である。
【００２８】
同図に示すようにＡＤＦ２２は、シートスルー方式で原稿画像を読み取る場合には、給紙トレイ２２ａにセットされた原稿Ｄを１枚ずつ、駆動モーター２２ｊにより回転駆動される各搬送ローラーにより原稿搬送路２２ｚに沿って搬送させて、スキャナー本体２１の読取位置に配されたガラス２２ｂ上を通過させた後、排出トレイ２２ｃに排出させる。
【００２９】
スキャナー本体２１は、ＡＤＦ２２により搬送される原稿Ｄがガラス２２ｂ上を通過する際にその原稿Ｄの第１面（表面）の画像を読み取る。具体的には、ガラス２２ｂの直下位置に静止した第１スライダー２１ｂに配されたランプ２１ａを点灯させ、ガラス２２ｂ上を通過する原稿Ｄの第１面に光Ｌを照射させる。原稿Ｄの第１面からの反射光が第１ミラー２１ｃ、第２スライダー２１ｆの第２ミラー２１ｄと第３ミラー２１ｅにより光路変更され、集光レンズ２１ｈによってＣＣＤ（Charge  Coupled  Device）センサー２１ｓ（第１読取素子）の受光面で結像される。ＣＣＤセンサー２１ｓは、受光した光を光電変換により原稿Ｄの第１面の画像に対応したカラーの画像信号を出力する。
【００３０】
原稿Ｄの第２面の画像は、原稿搬送路２２ｚを搬送中の原稿Ｄがガラス２２ｂ上を通過後、原稿搬送路２２ｚの近傍に配された密着イメージセンサー（CIS：Contact  Image  Sensor）２２ｓ（第２読取素子）を通過する際に読み取られる。密着イメージセンサー２２ｓにより、原稿Ｄの第２面の画像に対応したカラーの画像信号が出力される。
【００３１】
出力された第１面、第２面に対応するカラーの画像信号は、コピージョブの場合、全体制御部２４によりプリント用のカラーまたはモノクロの画像データ（後述）に変換され、変換後の画像データがプリント部３に送られてプリント（印刷）に供せられる。スキャンジョブの場合、カラーの画像信号は、所定の形式の画像データに変換後、不図示の記憶部に記憶され、これ以降、ユーザーの利用のために必要に応じて読み出される。
【００３２】
一方、スキャナー移動方式で原稿画像を読み取る場合には、ユーザーによりＡＤＦ２２が上方に開放され、プラテンガラス２１ｎ上に原稿が載置された状態で、ランプ２１ａを点灯させつつ第１スライダー２１ｂを同図の右方向に移動させる。
【００３３】
第１スライダー２１ｂの移動の際、第２スライダー２１ｆが第１スライダー２１ｂと同方向であって第１スライダー２１ｂの移動速度の半分の速度で移動するようになっている。これにより、プラテンガラス２１ｎ上に載置された原稿から集光レンズ２１ｈまでの距離（光路長）が常に一定に保たれた状態で、当該原稿の反射光がＣＣＤセンサー２１ｓの受光面で結像される。
【００３４】
図１に戻って操作パネル２３は、画像読取部２の前面でありユーザーが操作し易い位置に配置されており、タッチパネル３１とハードキー群３２とマイク３３を備える。
【００３５】
タッチパネル３１は、液晶ディスプレイ３１１とタッチパッド３１２を有する。液晶ディスプレイ３１１には、コピージョブなどのジョブを実行するための各種の画面や確認要求画面（後述）などが表示される。タッチパッド３１２は、液晶ディスプレイ３１１の表示画面内に表示されているボタン、ここでは図示していないが、例えばユーザーから実行すべきジョブの選択を受け付けるためのボタンなどのタッチ入力を検出する。
【００３６】
ハードキー群３２には、ユーザーからジョブの実行開始を受け付けるスタートキーやジョブの停止の指示を受けるストップキーなどが含まれる。
【００３７】
マイク３３は、ハードキー群３２の横に配され、ユーザーの音声を入力して音声データを生成する。音声入力は、例えばユーザーが操作パネル２３の前に立って、液晶ディスプレイ３１１に表示されているマイクボタン（不図示）をタッチして音声入力を有効にした上で、マイク３３に向かって「コピー１部」などの音声で指示して行うことができる。
【００３８】
本実施の形態では、ユーザーは、タッチパネル３１とハードキー群３２のボタンをタッチ入力や押下したりマイク３３に対して音声を発したりすることで、実行するジョブを選択したりジョブの実行を指示したりすることができるようになっている。
【００３９】
全体制御部２４は、タッチ入力、ボタン押下、音声による指示に基づく処理、例えばコピーやスキャンなどのジョブの実行や液晶ディスプレイ３１１の表示画面の切り換えなどを行う。
【００４０】
プリント部３は、カラーとモノクロの画像形成を切り換えて可能な例えばタンデム型のカラー画像形成装置であり、カラー画像は、Ｙ（イエロー）、Ｍ（マゼンタ）、Ｃ（シアン）、Ｋ（ブラック）の４色のトナーにより形成され、モノクロ画像は、Ｋ（ブラック）色のみのトナーにより形成される。
【００４１】
コピージョブの場合、複数段の給紙カセット３ａのいずれかから給送した記録シートに、画像読取部２で生成された画像データに基づくカラー画像またはモノクロ画像を形成し、画像形成後の記録シートを出力して、排紙トレイ８に収容させる。
【００４２】
プリントジョブの場合、外部の端末装置（不図示）からネットワークを介して送られて来る画像データに基づきカラー画像またはモノクロ画像を記録シートに形成した後、排紙トレイ８に収容させる。
【００４３】
図３は、全体制御部２４の構成を示すブロック図である。
【００４４】
同図に示すように全体制御部２４は、第１制御部２４１と第２制御部２４２を有する。
【００４５】
第１制御部２４１は、タッチパネル３１のタッチ入力とハードキー３２の押下に基づき、スキャナー本体２１とＡＤＦ２２を制御して、原稿画像の読取動作を実行する。
【００４６】
第２制御部２４２は、マイク３４からの音声データに基づき、スキャナー本体２１とＡＤＦ２２を制御して、原稿画像の読取動作を実行する。第１制御部２４１による読取動作は公知の構成と同じであるので、ここでは説明を省略し、以下、第２制御部２４２による読取動作について具体的に説明する。
【００４７】
図４は、第２制御部２４２の構成を示すブロック図である。
【００４８】
同図に示すように第２制御部２４２の音声データ入力部５１は、接続されるマイク３４を介して音声データを受け付ける。音声指示認識部５２は、音声データ入力部５１からの音声データを音声認識処理によってテキストデータに変換し、変換したテキストデータを解析することによって、ユーザーがどのような指示をしたのかを認識する。
【００４９】
具体的には、ノイズリダクションアルゴリズムを用いて音声データのノイズレベルを低減してから、音声データの周波数特性を用いて音声データを音素単位、例えばコピーの「コ」、「ピー」などをモデル化した音響モデル、単語ごとに当該単語を構成する音素を定義した発音辞書、および単語のつながり易さを規定した言語モデルの三つの確率モデルの積が最大になる単語列を求めることによって、テキストデータを生成する。
【００５０】
生成されたテキストデータが、予め登録されているジョブや各種機能の名称（コピー、スキャン、カラー、両面など）のいずれと一致するかを判断し、一致すると判断した名称をユーザーが音声で指示したジョブ名や機能名と認識する。音声認識の方法が上記の方法に限られないことはいうまでもなく、他の方法を用いるとしても良い。
【００５１】
ジョブ判断部５３は、音声指示認識部５２の認識結果からユーザーが指示したジョブ名を判断する。例えば、「コピー」と認識された場合、コピージョブと判断する。
【００５２】
必要設定項目判断部５４は、判断テーブル５４１とジョブ管理テーブル５４２を有し、判断したジョブ、例えばコピージョブを実行するのに必要な設定項目を、予め登録されている判断テーブル５４１を参照して判断する。
【００５３】
図５は、コピージョブに対する判断テーブル５４１の内容例を示す図である。
【００５４】
同図に示すように判断テーブル５４１は、設定項目と、これに対応して設けられた選択値とデフォルト値とデータ変換の各欄を有する。
【００５５】
設定項目欄には、実行可能な機能、ここでは出力色、読取方法、解像度、データサイズ、部数が書き込まれており、設定項目欄の各設定項目がコピージョブの実行に必要な設定項目になる。従って、必要設定項目判断部５４は、判断テーブル５４１の設定項目欄から、コピージョブの実行に必要な設定項目として出力色〜部数の５つがあることを判断できる。
【００５６】
選択値欄には、対応する設定項目でユーザーが選択可能な値が書き込まれており、例えば設定項目「出力色」に対して、カラーとモノクロのいずれかを選択できることを示している。
【００５７】
デフォルト値欄には、各選択値のうち、事前に管理者などからデフォルト値として指示された値が書き込まれている。同図の例では、デフォルト値として、モノクロ、片面、中解像度、Ａ４サイズ、１部が書き込まれている。
【００５８】
データ変換欄には、複数の選択値のうち、一つの選択値の設定に基づき読取動作を実行した場合に生成されるべき画像データを、他の選択値の設定に基づき読取動作を実行した場合に生成されるべき画像データに復元可能な否かを示す情報が書き込まれている。
【００５９】
具体的に、選択値がモノクロの場合、モノクロの設定で読取動作により得られる画像データは、Ｋ色のみの画像データ（モノクロデータ）になる。一方、選択値がカラーの場合、カラーの設定で読取動作により得られる画像データは、Ｙ、Ｍ、Ｃ、Ｋ色の画像データ（カラーデータ）になる。
【００６０】
カラーデータは、Ｋ色の画像データを含むので、カラーデータを生成すれば、その後、Ｙ、Ｍ、Ｃ色の画像データを削除することで、モノクロデータへの変換が可能である。これに対し、モノクロデータは、Ｙ、Ｍ、Ｃ色の画像データを含まないので、モノクロデータが生成されてしまうと、その後、カラーデータへの変換は不可になる。同図のデータ変換欄では、変換可能な場合を（可）、変換不可な場合を（不可）で示している。
【００６１】
読取方法は、原稿の片面（第１面）のみの読み取りと両面（第１面と第２面）の読み取りのいずれかを選択値として選択できることを示している。
【００６２】
片面と両面でのデータ変換は、次のようになる。すなわち、選択値が片面の場合、読取動作により得られる画像データは、原稿の第１面のみの画像データ（片面データ）になり、選択値が両面の場合、原稿の第１面と第２面の両方の画像データ（両面データ）になる。両面データは、原稿の第２面の画像データを含むので、両面データを生成すれば、その後、第２面の画像データを削除することで、片面データへの変換が可能である。これに対し、片面データは、第２面の画像データを含まないので、片面データが生成されると、もはや、両面データへの変換は不可になる。
【００６３】
解像度は、原稿の読み取り解像度を、高（例えば６００ｄｐｉ）と中（例えば３００ｄｐｉ）と低（例えば１００ｄｐｉ）のいずれかから選択値として選択できることを示している。ここで、ｄｐｉは、ｄｏｔ  ｐｅｒ  ｉｎｃｈの略である。
【００６４】
解像度が変わるときのデータ変換は、次のようになる。すなわち、選択値が中又は低の場合、読取動作による画像データは、解像度が中又は低の画像データになり、選択値が高の場合、高解像度の画像データになる。高解像度の画像データは、例えば画素を間引くことで、中または低解像度の画像データへの変換が可能である。これに対し、低または中解像度の画像データは、高解像度の画像データに復元できないので、高解像度の画像データへの変換は不可になる。つまり、解像度の高低で高い方から低い方への画像データの変換は可であるが、低い方から高い方への画像データの変換は不可になる。
【００６５】
データサイズは、読取画像のデータサイズをＡ３、Ｂ４、Ａ４、Ｂ５サイズのいずれから選択値として選択できることを示している。読取画像のデータサイズは、実質、記録シートのサイズと同じである。
【００６６】
データサイズのデータ変換は、次のようになる。例えば、Ａ４サイズの本を開いたＡ３サイズ相当の大きさの原稿にしてプラテンガラス２１ｎ上に載置された状態で、見開きのＮページ目と（Ｎ＋１）ページ目とを読み取る読取動作を行う場合、データサイズの選択値がＡ３であれば、Ａ３サイズの大きさの原稿に対する読取動作が実行されるので、Ａ４サイズのＮページ目と（Ｎ＋１）ページ目の画像が横に並んだようなＡ３サイズの画像データが生成される。このＡ３サイズの画像データは、Ｎページ目と（Ｎ＋１）ページ目の２つの画像データを含んだものになる。
【００６７】
従って、読取動作後にユーザーが、例えばＮページ目を残し、（Ｎ＋１）ページ目を削除したい場合、読み取って得られたＡ３サイズの画像データにおいて、（Ｎ＋１）ページ目に相当するＡ４サイズの大きさのデータ部分を削除することで、データサイズがＡ４サイズになり、Ｎページ目のＡ４サイズの画像データに加工することが可能になる。また、縮小処理を施せば、読取動作後にＡ３よりもサイズが小さいＢ４やＡ４サイズの画像データへの変換も可能である。
【００６８】
一方、選択値がＡ４の場合、Ａ４サイズの大きさの原稿に対する読取動作が実行され、Ａ４サイズの大きさの画像データが得られる。仮に、ユーザーがＡ４サイズの選択になっていることを知らずに、Ａ４サイズの本を開いたＡ３サイズ相当の原稿の読み取りを行えば、Ｎページ目と（Ｎ＋１）ページ目の一方しか読み取りを行えず、一方のページの画像データを他方のページの画像データに変換することはできない。Ａ３サイズの画像データの中から画素を間引いてＡ４サイズの画像データに縮小するような場合も同様である。
【００６９】
つまり、大サイズから小サイズの画像データへの変換は可能であるが、小サイズから大サイズへの画像データの変換は不可になる。
【００７０】
部数は、１から９９までのいずれかの数値を選択可能であることを示しているが、部数の選択値が変わったところでデータ変換が可／不可のいずれかになることはないので、データ変換欄には何も情報が登録されていない。
【００７１】
必要設定項目判断部５４は、判断した１以上の設定項目をジョブ管理テーブル５４２に書き込む。図６（ａ）は、ジョブ管理テーブル５４２の構成例を示す図である。
【００７２】
同図に示すようにジョブ管理テーブル５４２は、ジョブ番号とジョブ種類と設定項目と設定値の各欄を有する。ジョブ番号は、実行すべきジョブを識別する番号を示し、ジョブ種類は、コピー、スキャン等のジョブ名称を示す。
【００７３】
設定項目の欄は、必要設定項目判断部５４により判断された設定項目が書き込まれる欄であり、ここでは上記の出力色〜部数の５つが書き込まれている例を示している。設定値の欄は、次に説明する設定部５５により設定値が書き込まれるようになっている。
【００７４】
図４に戻って、設定部５５は、指示値設定部５５１とデフォルト値設定部５５２を有する。指示値設定部５５１は、必要設定項目判断部５４で判断された１以上の設定項目のうち、音声指示認識部５２でユーザーの指示があったと認識された設定項目に対してその指示内容をジョブ管理テーブル５４２に書き込む（設定する）。
【００７５】
デフォルト値設定部５５２は、判断テーブル５４１のデフォルト値欄に、管理者等から指示された選択値を書き込む。なお、デフォルト値は、ＭＦＰ１が製造工場から出荷時に設定登録されるとしても良い。また、出荷後、管理者がタッチパネル３１を用いて希望の値に変更する指示を行えるとしても良い。この場合、変更を指示された値がデフォルト値設定部５５２によりジョブ管理テーブル５４２のデフォルト値欄に書き込まれる。
【００７６】
図６（ａ）に示すジョブ管理テーブル５４２の例では、５つの設定項目のうち、出力色とデータサイズと部数についてユーザーの指示の内容が設定され、読取方法と解像度についてデフォルト値が設定されている様子を示している。デフォルト値は、図５に示すデフォルト値欄において読取方法と解像度の各項目に書き込まれている値が参照される。図６（ａ）の設定例は、音声認識結果が「カラーコピー、Ａ４サイズ、１部」であった場合が想定される。ユーザーの指示の内容が設定された設定項目を設定項目Ａ、デフォルト値が設定された設定項目を設定項目Ｂとして区別する場合がある。
【００７７】
図４に戻ってデータ変換可否判断部５６は、ジョブ管理テーブル５４２に登録されているジョブ、例えばジョブ番号０００１のコピージョブについて設定項目Ｂ、上記の例では読取方法と解像度についてデータ変換が可能か否かを判断する。
【００７８】
この判断は、設定項目Ｂごとに、デフォルト値の設定に基づき読取動作を実行したときに生成されるべき画像データ（以下、画像データαという。）を、デフォルト値以外の選択値の設定に基づき読取動作を実行したときに生成されるべき画像データ（以下、画像データβという。）に変換可能な否かを、図５に示す判断テーブル５４１のデータ変換欄を参照することにより行われる。
【００７９】
すなわち、判断テーブル５４１において、読取方法に対応するデータ変換欄を見ると、片面データから両面データへの変換が不可になっており、両面データから片面データへの変換が可になっている。解像度については、中／低解像度から高解像度への画像データの変換が不可になっており、高解像度から中／低解像度および中解像度から低解像度への画像データの変換が可になっている。
【００８０】
ジョブ番号が０００１のコピージョブの例では、読取方法のデフォルト値が片面読取、解像度のデフォルト値が中解像度になっており、デフォルト値に対応する画像データαは、中解像度の片面データになり、デフォルト値以外の選択値（例えば、両面、高解像度）に対応する画像データβに変換（復元）できないので、読取方法と解像度の両方ともデータ変換が不可と判断される。他の設定項目の出力色、データサイズについても同様に判断できる。
【００８１】
図４に戻って、設定項目補足部５７は、ユーザーから音声で指示がなかった設定項目Ｂの設定を補足するものであり、具体的にはジョブ管理テーブル５４２において、設定項目Ｂのうち、データ変換可否判断部５６がデータ変換を不可と判断した設定項目の設定値をデフォルト値に代えてデータ変換が可能な選択値に設定変更する。この設定変更された設定項目を設定項目Ｃとして区別する場合がある。
【００８２】
ジョブ番号が０００１のコピージョブの例では、読取方法と解像度の両方が不可と判断されたので、図６（ｂ）に示すように読取方法と解像度のそれぞれについて設定値が両面と高解像度にそれぞれ設定変更される。
【００８３】
読取方法が「両面」に設定変更されたのは、両面は、読取動作により得られた両面データから片面データ（デフォルト値である片面の設定で読み取って得られるべき画像データ）への変換が可能な選択値であるからである。同様に、解像度が「高」に設定変更されたのは、高解像度は、読取動作により得られた高解像度の画像データから中解像度（デフォルト値）の画像データへの変換が可能な選択値であるからである。
【００８４】
つまり、設定項目Ｃは、異なる複数の選択値のうち、第１選択値（例えば、両面、高解像度）を設定して実行した読取動作（読取ジョブ）で得られるべき第１画像データと、第２選択値（例えば、片面、中／低解像度）を設定して実行した読取動作で得られるべき第２画像データとについて、第１画像データから第２画像データが復元可であるがその逆が不可になる関係がある設定項目といえる。設定項目補足部５７は、設定項目Ｃについてデフォルト値（片面、中または低解像度）が上記の第２選択値に属する場合に、デフォルト値に代えて第１選択値（両面、高解像度）を設定する。
【００８５】
読取実行部５８は、設定項目補足部５７による設定値の設定変更が終了すると、ジョブ管理テーブル５４２を参照し、登録されている未実行の読取ジョブを実行する。ここでは、ジョブ番号０００１のコピージョブが実行されるとする。
【００８６】
読取実行部５８は、ジョブ番号０００１のコピージョブの実行に際し、ジョブ管理テーブル５４２の設定値欄に設定されている「カラー」、「両面読取」、「高解像度」、「Ａ４サイズ」を読み出して、読み出した各設定値に基づき原稿読取動作をスキャナー本体２１とＡＤＦ２２を制御して実行させる。具体的な処理内容については、後述する。
【００８７】
画像メモリ５９には、読取動作によって得られた画像データが格納される。
【００８８】
設定項目確認要求部６０は、ユーザーに対して設定項目Ｃの設定値の確認を要求する確認要求画面６０１（図７（ａ））をタッチパネル３１に表示させる。これは、設定項目Ｃについて、ユーザーからの音声指示がなかったという理由からデフォルト値に代えて選択値を自動で再設定して読取動作を実行したが、この自動再設定による設定値がユーザーの希望するものか否かをユーザーに確認するためである。
【００８９】
図７（ａ）に示すように確認要求画面６０１は、メッセージ表示欄６１０と確認項目欄６１１が設けられている。メッセージ表示欄６１０には、ユーザーが実行を指示したジョブ、ここではコピージョブについてユーザーからの音声入力の際に未指示の設定項目があった旨を示すメッセージが表示される。
【００９０】
確認項目欄６１１には、未指示の設定項目の名称と現在の設定値とが表示される。未指示の設定項目は、設定項目補足部５７で設定変更された設定項目Ｃであり、現在の設定値は、図６（ｂ）に示すジョブ管理テーブル５４２に登録されている設定項目Ｃに対応する設定値に等しい。設定項目確認要求部６０は、ジョブ管理テーブル５４２から設定項目Ｃの名称と設定値を読み出して、読み出した設定項目Ｃの名称と設定値を確認項目欄６１１に表示させる。
【００９１】
ユーザーは、確認要求画面６０１の確認項目欄６１１を目視して、現在の設定値（両面、高解像度）で良ければ、終了ボタン６１３をタッチ入力することができ、変更を希望する場合には、変更ボタン６１２をタッチ入力することができる。設定項目確認要求部６０は、終了ボタン６１３がタッチ入力された場合、画像データを変換しない旨の第１指示情報を図４に示す画像データ変換部６１に送り、変更ボタン６１２がタッチ入力された場合、図７（ｂ）に示す設定変更受付画面６０２を切り換え表示させる。
【００９２】
設定変更受付画面６０２には、未指示項目ごとに選択可能な値をタッチ入力できるチェックボックス欄６２１、６２２が設けられている。ユーザーは、未指示項目ごとにチェックボックス欄６２１、６２２に表示されている選択値の中からいずれかの選択値に対するチェックボックスへのタッチ入力でチェックを表示させることで、希望の設定値を選択入力することができる。
【００９３】
チェックボックス欄６２１、６２２に表示されている選択値は、データ変換が可能な選択値になる。具体的には、設定項目Ｃの読取方法は、現在の設定値が両面であり、両面からデータ変更が可能な片面が選択値として表示され、解像度は、現在の設定値が高解像度であり、これからデータ変更が可能な中解像度と低解像度が選択値として表示される。
【００９４】
つまり、設定項目Ｃに対し、デフォルト値から設定変更された選択値、例えば両面、高解像度（第１選択値）が現在の設定値になり、第１選択値からデータ変換可能な選択値、例えば片面、中／低解像度がチェックボックス欄６２１、６２２に表示すべき選択値（第２選択値）になる。第２選択値は、判断テーブル５４１のデータ変換欄を参照することにより判断される。
【００９５】
なお、同図の表示には、未指示項目として読取方法と解像度しか含まれていないが、他の設定項目が未指示であった場合には、未指示の設定項目に対するチェックボックス欄と対応する選択値とが表示される。例えば、出力形態ではモノクロが選択値になり、データサイズでは、デフォルト値よりも小さい各サイズが選択値になる。
【００９６】
設定項目確認要求部６０は、確定ボタン６２３がタッチ入力された場合、チェック表示されている設定値が確定したとして、確定した設定値への画像データの変換を指示する第２指示情報を画像データ変換部６１に送る。
【００９７】
画像データ変換部６１は、図８に示すようにスイッチ部９１と、変換処理部９２と、出力部９３を有する。
【００９８】
スイッチ部９１は、画像メモリ５９からの画像データの出力先を切り換えるものであり、設定項目確認要求部６０の指示情報がユーザーによる画像データを変換しない旨の第１指示情報である場合には出力先を出力部９３に切り換え、画像データの変換を指示する第２指示情報の場合には、出力先を変換処理部９２に切り換える。
【００９９】
変換処理部９２は、画像メモリ５９からスイッチ部９１を介して受信した画像データに、ユーザーの指示に基づく変換処理を施した後、変換後の画像データを出力部９３に送るものであり、Ｙ、Ｍ、Ｃ色データ削除部９２ａと、裏面データ削除部９２ｂと、低解像度変換部９２ｃと、縮小加工部９２ｄを有する。
【０１００】
Ｙ、Ｍ、Ｃ色データ削除部９２ａは、受信した画像データがカラーデータであり、設定項目確認要求部６０からの指示情報がユーザーによるモノクロへの変更指示である場合には、カラーデータに含まれるＹ、Ｍ、Ｃ色の画像データを削除して、Ｋ色の画像データのみを残す処理を行う。
【０１０１】
裏面データ削除部９２ｂは、受信した画像データが両面データであり、設定項目確認要求部６０からの指示情報がユーザーによる片面の変更指示である場合には、両面データに含まれる第２面の画像データを削除して、第１面の画像データのみを残す処理を行う。
【０１０２】
低解像度変換部９２ｃは、設定項目確認要求部６０からの指示情報がユーザーによる解像度の変更指示である場合には、受信した画像データの解像度を、指示された中解像度または低解像度に落とす低解像度変換処理を行う。この低解像度変換処理は、上記のように画素を間引くことで行われる。
【０１０３】
縮小加工部９２ｄは、設定項目確認要求部６０からの指示情報がユーザーによるデータサイズの変更指示である場合には、受信した画像データを、指示されたサイズに画像データの一部を切り取る加工処理または縮小する処理を行う。
【０１０４】
このように変換処理部９２は、設定項目確認要求部６０からの第２指示情報に基づき、Ｙ、Ｍ、Ｃ色データ削除部９２ａ〜縮小加工部９２ｄのいずれかを動作させるが、例えば、両面から片面への変換と低解像度への変換の２つを行う場合には、まず裏面データ削除部９２ｂを動作させ、次に低解像度変換部９２ｃを動作させることで、２つの変換を行う。他の変換の組み合わせも予め実行順序が決められる。
【０１０５】
出力部６３は、画像メモリ５９からスイッチ部９１を介して受信した画像データ（未変換のもの）と変換処理部９２から受信した画像データ（変換後のもの）に、当該コピージョブの設定項目としてジョブ管理テーブル５４２に登録されている各設定値（サイズや部数を含む）を示すジョブ情報を付加したものを、プリント部３に送る。
【０１０６】
プリント部３は、出力部６３から受信したジョブ情報から実行すべきジョブがカラー、Ａ４サイズ、部数が１部のコピージョブであることが判り、指示されたサイズの記録シートを給送して、受信した画像データに基づく画像をその記録シートにプリントする動作を行う。これにより、ジョブ番号０００１のコピージョブが終了する。
【０１０７】
図９は、音声入力によるジョブ実行動作の制御内容を示すフローチャートであり、当該制御は、不図示のメインルーチンから一定間隔でコールされる度に第２制御部２４２により実行される。
【０１０８】
同図に示すように音声入力を受け付けると（ステップＳ１で「Ｙｅｓ」）、ユーザーによる音声指示を認識する（ステップＳ２）。音声入力の受け付けは、音声データ入力部５１が担当し、音声指示の認識は、音声指示認識部５２が担当する。
【０１０９】
音声指示の認識結果からユーザーが指示したジョブ名を判断する（ステップＳ３）。このジョブ判断は、ジョブ判断部５３が担当する。
【０１１０】
判断されたジョブを実行するのに必要な設定項目をジョブ管理テーブル５４２に登録する（ステップＳ４）。この登録は、必要設定項目判断部５４が担当する。
【０１１１】
続いて、ジョブ管理テーブル５４２において、ユーザーから音声指示があったと認識された設定項目Ａに指示値を設定する（ステップＳ５）。この設定は、設定部５５が担当する。次に、ユーザーから指示がなかった各設定項目Ｂについてデータ変換が可能か否かを判断する（ステップＳ６）。この判断は、データ変換可否判断部５６が担当し、デフォルト値に対応する画像データαを、これ以外の選択値に対応する画像データβに変換可能か否かをジョブ管理テーブル５４２のデータ変換欄を参照することにより行われる。
【０１１２】
上記のコピージョブの例では、図５に示す判断テーブル５４１においてモノクロ、片面、中解像度、Ａ４サイズがそれぞれデフォルト値に設定されている。仮に、出力色が設定項目Ｂであった場合、モノクロデータが画像データαになり、カラーデータが画像データβになるので、データ変換が不可と判断される。これに代わって、例えばカラーがデフォルト値に設定されていれば、カラーデータが画像データαになり、モノクロデータが画像データβになるので、データ変換が可と判断される。
【０１１３】
同様に、データサイズが設定項目Ｂであった場合、Ａ４サイズの画像データが画像データαになり、これ以外のサイズ、例えばＡ３サイズの画像データが画像データβになれば、データ変換が不可と判断される。これに代わって、例えばＡ３サイズがデフォルト値に設定されていれば、Ａ３サイズの画像データが画像データαになり、これよりも小さいＢ４以下のサイズの画像データが画像データβになるので、データ変換が可と判断される。読み取り方法と解像度についても同様である。
【０１１４】
データ変換が不可と判断されると（ステップＳ６で「Ｎｏ」）、設定項目Ｂの設定値をデフォルト値からデータ変換が可能な選択値に設定変更して（ステップＳ７）、ステップＳ８に進む。この設定変更は、設定項目補足部５７が担当する。
【０１１５】
一方、データ変換が可能と判断されると（ステップＳ６で「Ｙｅｓ」）、ステップＳ７をスキップして（実行せずに）、ステップＳ８に進む。データ変換が可能と判断されるのは、設定項目Ｂにおいてデフォルト値がカラー、両面、高解像度、データサイズＡ３の場合になる。ステップＳ８の原稿読取動作では、現在の各設定項目の設定値に基づき原稿読取動作を行う。
【０１１６】
図１０は、原稿読取動作のサブルーチンの内容を示すフローチャートであり、原稿読取動作は、読取実行部５８が担当する。例えば、ジョブ番号０００１のコピージョブにおいて設定値の変更があった場合、図６（ｂ）に示すジョブ管理テーブル５４２の設定値欄に設定されている「カラー」、「両面読取」、「高解像度」、「Ａ４サイズ」を読み出して、読み出した各設定値に基づく読取動作をスキャナー本体２１とＡＤＦ２２を制御して実行させる。
【０１１７】
具体的には、図１０に示すように給紙トレイ２２ａにセットされている原稿Ｄを１枚ずつ搬送する（ステップＳ２１）。
【０１１８】
次に、片面読み取りであるか否かを判断する（ステップＳ２２）。この判断は、ジョブ管理テーブル５４２の設定値欄に書き込まれている読取方法の設定値を参照することにより行われる。
【０１１９】
片面読み取りと判断すると（ステップＳ２２で「Ｙｅｓ」）、ＣＣＤセンサー２１ｓと密着イメージセンサー（ＣＩＳ）２２ｓのうちＣＣＤセンサー２１ｓのみ駆動する（ステップＳ２３）。そして、モノクロの読み取りであるか否かを判断する（ステップＳ２４）。この判断は、ジョブ管理テーブル５４２の設定値欄に書き込まれている出力色の設定値を参照することにより行われる。
【０１２０】
モノクロと判断すると（ステップＳ２４で「Ｙｅｓ」）、搬送されている原稿ＤがＣＣＤセンサー２１ｓの読取位置を通過した際にＣＣＤセンサー２１ｓにより読み取られ、ＣＣＤセンサー２１ｓから出力された原稿Ｄの画像信号に基づきＫ色の画像データのみ生成して（ステップＳ２５）、ステップＳ２６に進む。一方、カラーと判断すると（ステップＳ２４で「Ｎｏ」）、ＣＣＤセンサー２１ｓからの出力信号に基づきＹ、Ｍ、Ｃ、Ｋ色の画像データを生成して（ステップＳ２９）、ステップＳ２６に進む。
【０１２１】
ステップＳ２６では、解像度変換が必要か否かを判断する。この判断は、ジョブ管理テーブル５４２の設定値欄に書き込まれている解像度の大きさを参照することにより行われる。ここでは、ＣＣＤセンサー２１ｓの読取解像度は固定であるので、生成されたＹ〜Ｋ色の画像データは高解像度で読み取られたものになり、設定値欄に書き込まれている解像度が高であれば、解像度変換が不要と判断される。設定値欄に書き込まれている解像度が中や低であれば、高解像度の画像データを中または低の解像度に相当する画像データに変換が必要と判断される。
【０１２２】
解像度変換が必要と判断されると（ステップＳ２６で「Ｙｅｓ」）、生成されたＹ〜Ｋ色の画像データまたはＫ色の画像データを、中または低の解像度に相当する画像データに画素を間引くなどして解像度を変換し（ステップＳ２７）、解像度変換後の画像データを画像メモリ５９に記憶させて（ステップＳ２８）、リターンする。一方、解像度変換が不要と判断されると（ステップＳ２６で「Ｎｏ」）、ステップＳ２７をスキップして、生成されたＹ〜Ｋ色の画像データまたはＫ色の画像データを解像度変換することなく、画像メモリ５９に記憶させて（ステップＳ２８）、リターンする。
【０１２３】
ステップＳ２２で両面読み取りであることを判断すると（ステップＳ２２で「Ｎｏ」）、ＣＣＤセンサー２１ｓとＣＩＳ２２ｓの両方を駆動する（ステップＳ３０）。そして、モノクロの読み取りであるか否かを判断する（ステップＳ３１）。この判断は、ステップＳ２４と同じ方法により行われる。
【０１２４】
モノクロと判断すると（ステップＳ３１で「Ｙｅｓ」）、搬送されている原稿ＤがＣＣＤセンサー２１ｓの読取位置を通過した際にＣＣＤセンサー２１ｓにより読み取られた原稿Ｄの第１面の画像信号に基づき第１面のＫ色の画像データを生成するとともに、ＣＩＳ２２ｓの読取位置を通過した際にＣＩＳ２２ｓにより読み取られた原稿Ｄの第２面の画像信号に基づき第２面のＫ色の画像データを生成して（ステップＳ３２）、ステップＳ２６に進む。
【０１２５】
一方、カラーと判断すると（ステップＳ３１で「Ｎｏ」）、ＣＣＤセンサー２１ｓにより読み取られた原稿Ｄの第１面の画像信号に基づき第１面のＹ〜Ｋ色の画像データを生成するとともに、ＣＩＳ２２ｓにより読み取られた原稿Ｄの第２面の画像信号に基づき第２面のＹ〜Ｋ色の画像データを生成して（ステップＳ３３）、ステップＳ２６に進む。ステップＳ２６以降の処理は、片面読み取りの場合と同様である。
【０１２６】
図９に戻って、ステップＳ９では、ステップＳ７の設定変換を行ったか否かを判断する。設定変更を行ったことを判断すると（ステップＳ９で「Ｙｅｓ」）、確認要求画面６０１（図７（ａ））をタッチパネル３１に表示させ、ユーザーから設定項目Ｂの現在の設定値に対して変更するかしないかの指示を受け付ける（ステップＳ１０）。確認要求画面６０１の表示とユーザーの指示を受け付けは、設定項目確認要求部が担当する。なお、確認要求画面６０１に代えて、例えば音声入力でユーザーから設定値を変更するかしないかの指示を受け付ける構成をとることもできる。
【０１２７】
ユーザーから変更指示（第２指示）があったことを判断すると（ステップＳ１１で「Ｙｅｓ」）、画像メモリ５９の画像データを、ユーザーが指示した選択値に基づく画像データに変換する（ステップＳ１２）。この画像データの変換は、画像データ変換部６１が担当する。そして、変換後の画像データを出力先、例えばコピージョブの場合にはプリント部３に出力して（ステップＳ１３）、リターンする。プリント部３に送られた画像データが記録シートへの画像のプリントに供される。
【０１２８】
一方、ユーザーから変更しない旨の指示（第１指示）があったことを判断すると（ステップＳ１１で「Ｎｏ」）、ステップＳ１２をスキップして、ステップＳ１３に進む。この場合、変換されていない画像データが出力先に出力される。また、設定変更を行わなかったことを判断すると（ステップＳ９で「Ｎｏ」）、ステップＳ１３に進む。
【０１２９】
ここで、画像データのプリント部３への出力前に、画像データの画像を液晶ディスプレイ３１１にプレビュー表示する構成をとることもできる。ユーザーは、プレビュー表示を見て、プリント出力物の仕上がり状態をプリント前に確認することができる。この場合、ユーザーからプレビュー表示を終了させる旨の指示を受け付けると、画像データがプリント部３に出力される。
【０１３０】
プレビュー表示とともに、プリント中止を指示するための中止ボタン（不図示）が設けられていれば、ユーザーがプレビュー表示を見た結果、プリントを中止したい場合にその中止ボタンでプリント中止を指示することもできる。
【０１３１】
なお、画像データの出力先をコピージョブの場合にプリント部３としたが、例えばスキャンジョブの場合に、読み取られた画像データを保管する記憶領域、いわゆるＢＯＸが設けられたハードディスク等を有する記憶装置が指定されている場合には、その記憶装置を出力先とすることができる。また、ファクシミリ送信ジョブの実行機能を有している場合、電話回線などを含むネットワークを介して相手先に画像をファクシミリ送信するファクシミリ送信部を出力先とすることもできる。
【０１３２】
以上説明したように本実施の形態では、ユーザーが実行指示を音声入力で行ったジョブごとに、ユーザーの指示がなかった設定項目Ｂについては、デフォルト値を、読取動作後にデータ変換（復元）可能な選択値に自動で設定変更した上で読取動作を開始する。
【０１３３】
これにより、ユーザーが例えばコピージョブの実行指示を音声入力で行った際、原稿の両面を別々の記録シートにコピーする両面読取片面コピーを指示すべきところ、うっかり単なる「コピー」と発音してしまった場合に、原稿の片面のみを読み取る片面読取がデフォルト値に設定されていても、読取動作の開始前に、片面データへの変換が可能な両面データを生成する両面読取の設定に自動で切り換えた上で、両面読取の動作が実行される。
【０１３４】
そして、両面読取の終了後には、両面読取に代えてデフォルト値の片面読取に変換するかの確認を要求する確認要求画面６０１が表示される。ユーザーは、確認要求画面６０１から、自動で設定された両面読取に基づく画像データのままにするか、これに代えて、デフォルト値の片面読取に基づく画像データに変換するかの選択を行うことができる。
【０１３５】
従って、ユーザーは、音声入力の際にうっかり両面読取の指示を忘れてしまっても、実際には両面読取が実行されるので、ジョブ実行後に両面読取のジョブをやり直す必要はなくなる。一方で、片面読取がデフォルト値であるからこそ、あえて音声で指示しなかったユーザーにとっては、両面読取で生成された画像データを片面読取による画像データに変換させる指示を行えるので、希望する片面読取による画像データに基づくコピージョブを実行することができる。
【０１３６】
本発明は、画像読取装置に限られず、原稿画像の読取方法であるとしてもよい。また、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。また、上記の実施の形態における処理がソフトウェアにより行なわれる構成であっても良いし、ハードウェア回路を用いて行なれる構成であっても良い。
【０１３７】
＜変形例＞
以上、本発明を実施の形態に基づいて説明してきたが、本発明は、上述の実施の形態に限定されないのは勿論であり、以下のような変形例が考えられる。
【０１３８】
（１）上記実施の形態では、設定項目にカラー／モノクロ、片面／両面などが含まれる例を説明したが、これに限られない。ゲイン調整を含むとしても良い。
【０１３９】
ゲイン調整は、原稿画像の色をユーザーの指示に応じて、例えば赤色をより濃く再現したり薄目に再現したりするように画像データの階調値を補正する公知の処理である。ユーザーは、補正の強度を例えば数値で指定できる。具体的には、例えば１００を基準に数値を上げることでより濃くし、下げることでより薄目にするといった具合である。
【０１４０】
ゲイン調整を行えば、ゲイン調整前の階調値に復元できないことが通常である。これにより、ゲイン調整は、ゲイン調整をしないという設定にして実行した読取ジョブで得られるべき画像データ（第１画像データ）から、ゲイン調整を行うという設定にして実行した読取ジョブで得られるべき画像データ（第２画像データ）に復元可であるがその逆が不可になる関係を有する設定項目になる。
【０１４１】
従って、ユーザーからの音声指示にゲイン調整が含まれておらず、デフォルト値がゲイン調整を行う設定になっている場合、ゲイン調整をしない設定に自動的に切り換えた上で読取動作を実行し、その後にユーザーから確認選択画面６０１を通じてゲイン調整の数値の指定を受け付けると、指定された数値に対するゲイン調整を読取動作で得られた画像データに施すことで、ユーザーが希望する画像データを得ることが可能になる。なお、設定項目は、１以上の設定項目が設けられるとしても良い。
【０１４２】
（２）上記実施の形態では、設定項目Ｃに対してデフォルト値に代えて選択値を自動で設定した旨の通知を、図７（ａ）に示す確認要求画面６０１による画面表示で行うとしたが、これに限られない。例えば、その設定の旨を示す音声をスピーカーなどから出力する音声出力の構成をとることもできる。
【０１４３】
（３）上記実施の形態では、設定項目のうち出力色（カラー／モノクロ）がユーザーの音声指示がなかった設定項目Ｂに属し、デフォルト値にモノクロが設定されていた場合、自動的にカラーに設定し直した上で読取動作を実行するとしたが、これに限られない。
【０１４４】
例えば、ＭＦＰ１の管理者によりカラー出力が原則、禁止されているような環境では、管理者によるカラー出力の禁止を優先して、設定項目Ｂである出力色に対して、モノクロからカラーへの設定変更を行わない（禁止する）構成をとるとしても良い。
【０１４５】
図１１は、本変形例に係る禁止処理の内容を示すフローチャートであり、図９に示すフローチャートからの変更部分のみを示している。図１１に示すように設定項目Ｂがデータ変換不可と判断されると（ステップＳ６で「Ｎｏ」）、この設定項目Ｂが選択値の設定変更が禁止されている設定項目Ｂであるか否かを判断する（ステップＳ５１）。
【０１４６】
この判断は、第２制御部２４２の記憶部（不図示）に記憶されている禁止情報を参照することにより行われる。この禁止情報は、設定項目Ｂごとに選択値の設定変更について禁止か否かを示す情報であり、予め管理者等によって登録される。ここでは、各設定項目のうち、出力色（カラー／モノクロ）のみが禁止されているものとする。
【０１４７】
設定変更が禁止されていない設定項目Ｂと判断すると（ステップＳ５１で「Ｎｏ」）、ステップＳ７に進む。この場合、上記実施の形態と同じ処理になる。一方、設定変更が禁止されている設定項目Ｂと判断すると（ステップＳ５１で「Ｙｅｓ」）、原稿読取動作（ステップＳ５２）を実行する。この原稿読取動作は、図１０に示す原稿読取動作と基本的に同じ動作であるが、カラー読取が実行されない。
【０１４８】
原稿読取動作（ステップＳ５２）の実行後、ステップ７〜Ｓ１２をスキップして、ステップＳ１３に進む。カラーへの設定変更が禁止されているので、ステップＳ１０の確認選択画面６０１の表示によりユーザーからの変換指示を受け付ける処理を行うことなく、画像データを出力するものである。
【０１４９】
このように設定項目（出力色）に設定変更を行わない条件（禁止）を付けておけば、一般ユーザーからカラーへの変換を受け付けることがなくなり、カラープリントを原則禁止する管理者の指示の通りの管理が可能になる。
【０１５０】
上記では、コスト面からカラーコピーを禁止する意味で、各設定項目のうち出力色（カラー／モノクロ）が禁止対象になったが、これに限られず、他の設定項目が禁止対象になっても良い。
【０１５１】
（４）上記実施の形態では、本発明に係る画像読取装置を原稿の両面読取かつカラー読取が可能なスキャナーに適用した場合の例を説明したが、これに限られない。原稿の片面のみの画像を読み取り可能な構成やモノクロのみで読み取り可能な構成にも適用できる。
【０１５２】
また、画像読取部２とプリント部３を備えるＭＦＰ１の構成例を説明したが、画像読取部２のみの構成にも適用できる。画像読取部２のみの場合、いわゆるスキャナー単体ということになり、読取ジョブで得られた画像データを自己の記憶部に出力して記憶させたりネットワークを介して他の端末装置に出力して記憶させたりすることができる。
【０１５３】
また、上記実施の形態及び上記変形例の内容を可能な限り組み合わせるとしても良い。
【産業上の利用可能性】
【０１５４】
本発明は、原稿画像を読み取るスキャナーなどの画像読取装置に広く適用できる。
【符号の説明】
【０１５５】
１      ＭＦＰ
２      画像読取部
３      プリント部
２１      スキャナー本体
２１ｓ    ＣＣＤセンサー
２２      ＡＤＦ
２２ｓ    密着イメージセンサー
２３      操作パネル
３１      タッチパネル
３３      マイク
５１      音声データ入力部
５２      音声指示認識部
５３      ジョブ判断部
５４      必要設定項目判断部
５５      設定部
５６      データ変換可否判断部
５７      設定項目補足部（補足手段）
５８      読取実行部
５９      画像メモリ
６０      設定項目確認要求部
６１      画像データ変換部
９１      スイッチ部
９２      変換処理部
９３      出力部
２４２      第２制御部
３１１      液晶ディスプレイ
３１２      タッチパッド
５４１      判断テーブル
５４２      ジョブ管理テーブル
５５２      デフォルト値設定部
６０１、６０２      確認選択画面
【図１】
2020092378.tif 000003
【図２】
2020092378.tif 000004
【図３】
2020092378.tif 000005
【図４】
2020092378.tif 000006
【図５】
2020092378.tif 000007
【図６】
2020092378.tif 000008
【図７】
2020092378.tif 000009
【図８】
2020092378.tif 000010
【図９】
2020092378.tif 000011
【図１０】
2020092378.tif 000012
【図１１】
2020092378.tif 000013